(57)【特許請求の範囲】
【請求項１】
３次元的に知覚されるための映像の視聴を補助するための眼鏡装置であって、
左眼へ透過する光量を調整する左眼フィルタと、右眼へ透過する光量を調整する右眼フィルタと、を含む光学フィルタ部と、
前記光学フィルタ部による前記光量に対する調整動作を制御するための制御モードを、前記映像を構成するフレーム画像の表示に同期させるように前記光学フィルタ部を制御する第１制御モードと、前記映像のフレームレートよりも遅く、且つ、前記フレーム画像の前記表示に非同期の前記光学フィルタ部の前記調整動作を視聴者に知覚させる第２制御モードとの間で切り替える制御部と、
前記フレーム画像の前記表示に同期した同期信号を受信する受信部と、
前記第１制御モード下で動作する前記光学フィルタ部の前記調整動作と前記フレーム画像の前記表示との間の同期を妨げる不具合因子を検出するとともに検出された前記不具合因子に関する不具合情報を出力する検出部と、を備え、
前記第１制御モードで前記光学フィルタ部を制御する前記制御部は、前記同期信号に基づき、前記光学フィルタ部に前記調整動作を実行させ、
前記第２制御モードで前記光学フィルタ部を制御する前記制御部は、前記同期信号に無関係に、且つ、前記フレームレートの半分以下の所定の調整周波数で、前記光学フィルタ部に前記調整動作を実行させ、
前記検出部が前記不具合情報を出力したとき、前記制御部は、前記制御モードを、前記第１制御モードから前記第２制御モードに切り替え、
前記不具合情報は、第１不具合情報と、前記第１不具合情報とは内容において異なる第２不具合情報と、を含み、
前記第１不具合情報に基づく前記左眼フィルタ及び前記右眼フィルタの前記調整動作が、前記第２不具合情報に基づく前記左眼フィルタ及び前記右眼フィルタの前記調整動作と異なるように、前記制御部は、前記光学フィルタ部を制御することを特徴とする眼鏡装置。
【請求項２】
前記第１不具合情報は、前記眼鏡装置の電源として用いられる電池の電圧が、前記電圧に対して定められた電圧閾値よりも低いことを表し、
前記電圧が、前記電圧閾値よりも低いとき、前記検出部は、前記第１不具合情報を出力することを特徴とする請求項１に記載の眼鏡装置。
【請求項３】
前記第２不具合情報は、前記同期信号が受信されない不受信期間に対して定められた不受信閾値よりも長い期間、前記同期信号が受信されていないことを表し、
前記受信部が、前記不受信閾値よりも長い期間、前記同期信号を受信しないとき、前記検出部は、前記第２不具合情報を出力することを特徴とする請求項１に記載の眼鏡装置。
【請求項４】
前記第２制御モードは、間欠式に実行されることを特徴とする請求項１に記載の眼鏡装置。
【請求項５】
３次元的に知覚されるための映像を表示する表示装置と、前記映像の視聴を補助するための眼鏡装置と、を備える映像システムであって、
前記表示装置は、前記映像のフレーム画像の表示に同期する同期信号を送信する送信部を含み、
前記眼鏡装置は、請求項１に記載の眼鏡装置であることを特徴とする映像システム。
【請求項６】
３次元的に知覚されるための映像を表示する表示装置と、前記映像の視聴を補助するための眼鏡装置と、を備える映像システムであって、
前記表示装置は、前記映像を構成するフレーム画像の表示に同期する同期信号を送信する送信部を含み、
前記眼鏡装置は、左眼へ透過する光量を調整する左眼フィルタと、右眼へ透過する光量を調整する右眼フィルタと、を含む光学フィルタ部と、
前記光学フィルタ部による前記光量に対する調整動作を制御するための制御モードを、前記フレーム画像の表示に同期させるように前記光学フィルタ部を制御する第１制御モードと、前記映像のフレームレートよりも遅く、且つ、前記フレーム画像の前記表示に非同期の前記光学フィルタ部の前記調整動作を視聴者に知覚させる第２制御モードとの間で切り替える制御部と、
前記同期信号を受信する受信部と、
前記第１制御モード下で動作する前記光学フィルタ部の前記調整動作と前記フレーム画像の前記表示との間の同期を妨げる不具合因子を検出するとともに検出された前記不具合因子に関する不具合情報を出力する検出部と、を含み、
前記第１制御モードで前記光学フィルタ部を制御する前記制御部は、前記同期信号に基づき、前記光学フィルタ部に前記調整動作を実行させ、
前記第２制御モードで前記光学フィルタ部を制御する前記制御部は、前記同期信号に無関係に、且つ、前記フレームレートの半分以下の所定の調整周波数で、前記光学フィルタ部に前記調整動作を実行させ、
前記検出部が前記不具合情報を出力したとき、前記制御部は、前記制御モードを、前記第１制御モードから前記第２制御モードに切り替え、
前記同期信号が受信されない不受信期間に対して定められた不受信閾値よりも長い期間、前記同期信号を前記受信部が受信しないとき、前記検出部は、前記不具合情報を出力することを特徴とする映像システム。
【請求項７】
前記眼鏡装置は、前記眼鏡装置の電源として用いられる電池を含み、
前記電池の電圧に対して定められた電圧閾値よりも前記電圧が低いとき、前記検出部は、前記不具合情報を出力することを特徴とする請求項６に記載の映像システム。
【発明の詳細な説明】
【技術分野】
【０００１】
本発明は、視聴者に３次元的に知覚される映像を提供するための眼鏡装置及び映像システムに関する。
【背景技術】
【０００２】
近年の映像技術の発達により、視聴者に３次元的に知覚される映像（３次元映像）を提供するための映像システムが開発されてきている。映像システムは、典型的には、左眼で視聴されるための左眼フレーム画像と、右眼で視聴されるための右眼フレーム画像とを含む映像を表示する表示装置と、表示装置が表示する映像の視聴を補助する眼鏡装置と、を備える（例えば、特許文献１参照）。表示装置は、映像のフレーム画像の表示に同期する同期信号を送信し、眼鏡装置は、同期信号に基づいて、映像の視聴を補助するための立体視補助動作を実行する。眼鏡装置が、映像のフレーム画像の表示に同期した立体視補助動作を実行することにより、視聴者は表示装置が表示する映像を立体的に知覚することが可能となる。【０００３】
眼鏡装置は、典型的には、視力矯正用の眼鏡と同様の形状をなし、使用者に着用可能に形成される。このような眼鏡装置の使用態様から、眼鏡装置の電源として、一般的に、小型且つ可搬型の電池が用いられる。眼鏡装置の立体視補助動作によって、電池の残量が低下した結果、視聴者が３次元映像を視聴している間、映像のフレーム画像の表示に立体視補助動作が追従しないことが生じうる。眼鏡装置を装着した視聴者が、電池残量に起因する眼鏡装置の立体視補助動作の不具合を察知することは容易ではない。この結果、視聴者は３次元映像を快適に楽しめなくなることもある。【０００４】
眼鏡装置の他の不具合として、表示装置と眼鏡装置との間の同期信号の通信不良を挙げることができる。通信不良が生じた場合、特許文献１の眼鏡装置は、左眼及び右眼へ光が透過することを可能にする。この結果、視聴者は、通信不良が生じている間も、映像の視聴を継続することが可能となる。【０００５】
特許文献１に開示される眼鏡装置のように、通信不良が生じている間において左眼及び右眼への光の透過を可能にする制御は、視聴者の映像の視聴は可能にするものの、視聴者は、最早、立体的に映像を知覚することはできなくなる。その一方で、映像の視聴が可能であるので、視聴者は眼鏡装置に不具合が生じていることを察知しづらい状況におかれることとなる。したがって、視聴者は、快適な映像の視聴を享受できなくなる。【０００６】
上述の眼鏡装置に生じた不具合に関する情報以外にも、視聴者に伝達されるべき情報として、眼鏡装置の使用時間が例示される。長時間の眼鏡装置の使用は、視聴者の眼に過度の負荷を与えることもある。
【先行技術文献】
【特許文献】
【０００７】
【特許文献１】特開平６−４６４６０号公報
【発明の概要】
【０００８】
本発明は、３次元的に知覚されるための映像の視聴を補助するための眼鏡装置を装着した視聴者に、眼鏡装置から情報を通知することを可能にする眼鏡装置及び映像システムを提供することを目的とする。
【０００９】
本発明の一の局面に係る眼鏡装置は、３次元的に知覚されるための映像の視聴を補助するための眼鏡装置であって、左眼へ透過する光量を調整する左眼フィルタと、右眼へ透過する光量を調整する右眼フィルタと、を含む光学フィルタ部と、該光学フィルタ部の前記光量の調整動作を制御する制御部と、を備え、該制御部は、前記光学フィルタ部に対する制御モードを、前記映像を構成するフレーム画像の表示に同期させるように前記光学フィルタ部を制御する第１制御モードと、前記映像のフレームレートよりも遅く、且つ、前記フレーム画像の表示に非同期の前記光学フィルタ部の前記調整動作を視聴者に知覚させる第２制御モードとの間で切り替えることを特徴とする。
【００１０】
本発明の他の局面に係る映像システムは、３次元的に知覚されるための映像を表示する表示装置と、該映像の視聴を補助するための眼鏡装置と、を備える映像システムであって、前記表示装置は、前記映像のフレーム画像の表示に同期する同期信号を送信する送信部を備え、前記眼鏡装置は、左眼へ透過する光量を調整する左眼フィルタと、右眼へ透過する光量を調整する右眼フィルタと、を含む光学フィルタ部と、該光学フィルタ部の前記光量の調整動作を制御する制御部と、を備え、該制御部は、前記光学フィルタ部に対する制御モードを、前記映像を構成するフレーム画像の表示に同期させるように前記光学フィルタ部を制御する第１制御モードと、前記映像のフレームレートよりも遅く、且つ、前記フレーム画像の表示に非同期の前記光学フィルタ部の前記調整動作を視聴者に知覚させる第２制御モードとの間で切り替えることを特徴とする。
【図面の簡単な説明】
【００１１】
【図１】一実施形態に係る映像システムの概略構成図である。
【図２】図１に示される映像システムの眼鏡装置のハードウェア構成を概略的に示すブロック図である。
【図３】図２に示される眼鏡装置の機能構成を概略的に示すブロック図である。
【図４】図１に示される映像システムの表示装置のハードウェア構成を概略的に示すブロック図である。
【図５】図４に示される表示装置の機能構成を概略的に示すブロック図である。
【図６】不具合情報が出力されていない間の光学フィルタ部の光量調整動作を概略的に示すタイミングチャートである。
【図７】電池の電圧が低下しているときの光学フィルタ部の光量調整動作を概略的に示すタイミングチャートである。
【図８】人間が知覚することができるフリッカの周波数帯を示すグラフである。
【図９】同期信号の通信に不具合が生じているときの光学フィルタ部の光量調整動作を概略的に示すタイミングチャートである。
【図１０】閃光点滅周波数と光突発反応との間の関係を示すヒストグラムである。
【図１１】間欠式の第２制御モードを概略的に示す概念図である。
【発明を実施するための形態】
【００１２】
以下、一実施形態に従う眼鏡装置及び映像システムについて図面を参照して説明する。尚、図面に示される構成、配置或いは形状等並びに図面に関連する記載は、単に眼鏡装置及び映像システムの原理を容易に理解させることを目的とするものであり、眼鏡装置及び映像システムの原理を何ら限定するものではない。
【００１３】
図１は、映像システムを概略的に示す。尚、図１に示される映像システムは、単に、眼鏡装置及び映像システムの原理を明瞭に説明するために示されるものである。眼鏡装置及び映像システムの原理は、図１に示される詳細な構造、配置や形状に何ら限定されない。
【００１４】
映像システム１は、映像を表示する表示装置２と、視聴者に映像を立体的に知覚させるための立体視補助動作を行う眼鏡装置３とを含む。表示装置２は、３次元的に知覚されるための映像を表示する表示パネル２１を含む。表示パネル２１として、例えば、ＣＲＴディスプレイ、液晶ディスプレイ、ＰＤＰ（プラズマディスプレイパネル）、有機エレクトロルミネッセンスディスプレイや映像を表示可能な他の装置が好適に使用される。表示パネル２１に表示される映像は、左眼で視認されるように撮像或いは描写された左眼フレーム画像と、右眼で視認されるように撮像或いは描写された右眼フレーム画像とを含む。本実施形態において、左眼フレーム画像及び右眼フレーム画像は、表示パネル２１に交互に表示される。眼鏡装置３は、視聴者が左眼で左眼フレーム画像を視聴し、右眼で右眼フレーム画像を視聴するように立体視補助動作を実行する。この結果、視聴者は、表示パネル２１上に表示された映像を３次元的（立体的）に知覚することとなる。映像が立体的に知覚されるとき、左眼フレーム画像及び右眼フレーム画像中のオブジェクト（左眼フレーム画像及び右眼フレーム画像中に描かれた物体の像）は、表示パネル２１の平坦な面から飛び出たように或いは引っ込んだように知覚されることとなる。
【００１５】
表示パネル２１の周縁を取り囲むように形成された筐体２２の上縁上に送信素子２３が配設される。送信素子２３は、表示パネル２１上での左眼フレーム画像及び右眼フレーム画像の表示に同期して、同期信号を送信する送信部として用いられる。送信素子２３として、例えば、赤外線発光素子、ＲＦ送信機や同期信号を送信可能な他の要素が好適に用いられる。
【００１６】
送信素子２３からの同期信号は、眼鏡装置３に受信される。眼鏡装置３は、受信した同期信号に基づき、上述の立体視補助動作を実行する。この結果、視聴者は、表示パネル２１が表示する左眼フレーム画像を左眼で視聴し、右眼フレーム画像を右眼で視聴することが可能となる。
【００１７】
眼鏡装置３は、全体として、視力矯正用の眼鏡と同様の形状をなす。眼鏡装置３は、眼鏡装置３を着用した視聴者の左眼前に配置される左眼フィルタ３１と、右眼前に配置される右眼フィルタ３２とを含む光学フィルタ部３３を備える。左眼フィルタ３１及び右眼フィルタ３２は、視聴者の左眼及び右眼へ透過する光の量を調整可能に形成される光学素子である。したがって、左眼フィルタ３１及び右眼フィルタ３２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。
【００１８】
表示パネル２１が左眼フレーム画像を表示している間、左眼フィルタ３１が視聴者の左眼への光の透過を許容する一方で、右眼フィルタ３２は、視聴者の右眼への光の透過を抑制する。かくして、視聴者は左眼フレーム画像を左眼で視聴することができる。表示パネル２１が右眼フレーム画像を表示している間、右眼フィルタ３２が視聴者の右眼への光の透過を許容する一方で、左眼フィルタ３１は、視聴者の左眼への光の透過を抑制する。かくして、視聴者は右眼フレーム画像を右眼で視聴することができる。このような立体視補助動作を通じて、視聴者は表示パネル２１が表示する映像を３次元的に知覚することができる。
【００１９】
眼鏡装置３は、左眼フィルタ３１と右眼フィルタ３２との間に配設された受信素子３４を含む。受信素子３４は、映像のフレーム画像の表示に同期して送信される同期信号の受信部として用いられる。上述の映像のフレーム画像の表示と光学フィルタ部３３の立体視補助動作との間の同期は、受信素子３４が送信素子２３から同期信号を受信することにより達成される。送信素子２３として、赤外線発光素子が用いられるとき、受信素子３４として、赤外線受光素子が好適に用いられる。送信素子２３として、ＲＦ送信機が用いられるとき、受信素子３４として、ＲＦ受信機が好適に用いられる。代替的に、送信素子２３が送信する同期信号を受信可能な他の要素が、受信素子３４として用いられてもよい。
【００２０】
図２は、眼鏡装置３のハードウェア構成を概略的に示すブロック図である。図１及び図２を用いて、眼鏡装置３が更に説明される。
【００２１】
眼鏡装置３は、電池３５を含む。電池３５は、眼鏡装置３の電源として用いられ、以下に説明される眼鏡装置３の様々な構成要素に電力を供給する。眼鏡装置３は、電池３５の電圧を検出する電圧判定回路３６を含む。電圧判定回路３６は、電池３５の電圧に対して定められた電圧閾値に対して、検出された電池３５の電圧が下回っているか否かを検出する。検出された電池３５の電圧が電圧閾値よりも低いとき、電圧判定回路３６は、不具合情報を出力する。以下の説明において、電圧判定回路３６が出力する不具合情報は、第１不具合情報として例示される。
【００２２】
電池３５の電圧が大きく低下すると、例えば、左眼フィルタ３１及び右眼フィルタ３２の上述の光量に対する調整動作は、受信素子３４による同期信号の受信にもかかわらず、表示パネル２１が表示する映像のフレーム画像の表示に追従・同期しなくなる。電圧閾値は、左眼フィルタ３１及び右眼フィルタ３２のこのような不具合を防止するために設定される。本実施形態において、電圧判定回路３６は、左眼フィルタ３１及び右眼フィルタ３２の光量調整動作と表示パネル２１のフレーム画像の表示との同期を妨げる不具合因子を検出する検出部として例示される。
【００２３】
本実施形態において、電圧判定回路３６は、電池３５の電圧を直接的に検出する。代替的に、電圧判定回路３６は、後述される駆動回路３７に印加されている電圧を検出してもよい。電圧判定回路３６は、左眼フィルタ３１及び右眼フィルタ３２を駆動する駆動回路３７に印加されている電圧を検出し、左眼フィルタ３１及び右眼フィルタ３２による光量調整動作に影響を与える程度の電圧の低下か否かを、直接的に判定してもよい。以下の説明において用いられる「電池の電圧を検出する」との用語或いはこれに類する用語は、電池３５から電圧を直接的に検出することだけでなく、他の構成要素に印加されている電圧を検出することによって間接的に電池３５の電圧を検出することも意味する。尚、電池３５の電圧或いは他の構成要素に印加されている電圧の計測は、既知の電圧測定技術を用いて、好適に実行可能である。
【００２４】
眼鏡装置３は、左眼フィルタ３１及び右眼フィルタ３２による光量調整のタイミングを定めるために用いられるタイミング信号を生成するタイミング信号生成回路３８を含む。タイミング信号生成回路３８が生成したタイミング信号に基づいて、左眼フィルタ３１及び右眼フィルタ３２は、左眼及び右眼への透過光量の増減を行う。
【００２５】
上述の如く、受信素子３４は、送信素子２３から同期信号を受信し、同期信号に応じた電気信号をタイミング信号生成回路３８へ出力する。タイミング信号生成回路３８は、受信素子３４から出力された電気信号に基づき、タイミング信号を生成する。タイミング信号は、受信素子３４が受信した同期信号と同期するように生成される。
【００２６】
受信素子３４が送信素子２３から同期信号を受信しないとき、受信素子３４からタイミング信号生成回路３８へ電気信号は出力されない。したがって、タイミング信号生成回路３８は、同期信号に基づいて、タイミング信号を生成することはない。代替的に、タイミング信号生成回路３８は、同期信号が受信されない間、既に取得された同期信号に基づいて、擬似的なタイミング信号を生成してもよい。この場合、同期信号が瞬間的に受信されないときでも、左眼フィルタ３１及び右眼フィルタ３２による光量調整のタイミングは適切に定められる。
【００２７】
眼鏡装置３は、受信判定回路３９を含む。タイミング信号生成回路３８は、タイミング信号を受信判定回路３９へ出力する。その後、受信判定回路３９は、タイミング信号を、制御回路４０へ出力する。代替的に、タイミング信号生成回路３８から上述の擬似的なタイミング信号が入力されたとき、受信判定回路３９は、擬似的なタイミング信号をタイミング信号として制御回路４０へ出力してもよい。
【００２８】
受信判定回路３９は、タイミング信号が入力された時点からの経過時間或いは電池３５からの電力供給が開始された時点からの経過時間を更に計測する。その後、タイミング信号が入力されたとき、受信判定回路３９は、このタイミング信号が入力された時点からの経過時間を測定する。代替的に、受信判定回路３９は、上述の擬似的なタイミング信号を受信している期間の長さを測定してもよい。受信判定回路３９は、上述の計測を繰り返し、同期信号が受信されない不受信期間を検出する。
【００２９】
同期信号が受信されないとき、左眼フィルタ３１及び右眼フィルタ３２の光量調整動作のタイミングは設定されない。したがって、表示パネル２１の映像のフレーム画像の表示と、光学フィルタ部３３による立体視補助動作との間の同期は成立しない。タイミング信号生成回路３８が、上述の如く、既に受信された同期信号に基づいて、タイミング信号を生成する場合であっても、不受信期間が長期に亘って継続すると、表示パネル２１の映像のフレーム画像の表示と光学フィルタ部３３による立体視補助動作との間にずれが生ずることとなる。
【００３０】
このような光学フィルタ部３３による光量調整の不具合（不具合因子）を検出するため、受信判定回路３９は、不受信期間に対して定められた不受信閾値と、検出された不受信期間とを比較する。不受信期間が、不受信閾値よりも長いときには、受信判定回路３９は、不具合情報を制御回路４０に出力する。以下の説明において、受信判定回路３９が出力する不具合情報は、第２不具合情報として例示される。
【００３１】
眼鏡装置３は、左眼フィルタ３１及び右眼フィルタ３２を駆動する駆動回路３７を制御するための制御信号を出力する制御回路４０を含む。制御回路４０は、電圧判定回路３６及び受信判定回路３９から不具合情報が入力されていない間、タイミング信号に基づいて、第１制御信号を生成する。電圧判定回路３６から第１不具合情報が入力されたとき、制御回路４０は、第１不具合情報に基づいて、第２制御信号を生成する。受信判定回路３９から第２不具合情報が入力されたとき、制御回路４０は、第２不具合情報に基づいて、第３制御信号を生成する。第１制御信号、第２制御信号及び第３制御信号は、駆動回路３７へ出力される。制御回路４０への入力信号間で優先順位が設けられてもよい。例えば、第１不具合情報が最も優先順位を高く設定されてもよい。タイミング信号／第２不具合情報及び第１不具合情報が同時に制御回路４０に入力されたとき、制御回路４０は、例えば、第１不具合情報を出力してもよい。
【００３２】
駆動回路３７は、第１制御信号、第２制御信号又は第３制御信号に基づいて、左眼フィルタ３１及び右眼フィルタ３２を駆動する。第１制御信号、第２制御信号及び第３制御信号に基づいて駆動される左眼フィルタ３１及び右眼フィルタ３２による光量調整動作は、好ましくは、互いに異なる。
【００３３】
図３は、眼鏡装置３の機能構成を概略的に示すブロック図である。図１乃至図３を用いて、眼鏡装置３が更に説明される。
【００３４】
眼鏡装置３は、電池３５、図１及び図２に示される受信素子３４に相当する受信部３４０、図２に示されるタイミング信号生成回路３８に相当する信号生成部３８０、図２に示される電圧判定回路３６及び受信判定回路３９に相当する検出部３６０、図２に示される制御回路４０に相当する制御部４００及び図２に示される駆動回路３７に相当する駆動部３７０及び光学フィルタ部３３を含む。図２に関連して説明された如く、電池３５は、眼鏡装置３の電源として用いられ、受信部３４０、信号生成部３８０、検出部３６０、制御部４００、駆動部３７０及び光学フィルタ部３３に電力を供給する。
【００３５】
受信部３４０は、上述の如く、同期信号を受信する。受信部３４０が受信した同期信号は、電気信号として、信号生成部３８０へ出力される。信号生成部３８０は、解析部３８１、記憶部３８２及びタイミング信号生成部３８３を含む。解析部３８１は、例えば、受信部３４０が受信した同期信号の受信間隔の測定、同期信号の波形の解析や光学フィルタ部３３を表示パネル２１の映像のフレーム画像の表示に同期させるために必要とされる他の同期情報を解析する。同期信号に対する解析部３８１の解析によって得られた同期情報は、記憶部３８２に記憶される。タイミング信号生成部３８３は、記憶部３８２に記憶された同期情報に基づいて、タイミング信号を生成し、検出部３６０に出力する。
【００３６】
検出部３６０は、図２に関連して説明された電圧判定回路３６に相当する電圧検出部３６１と、受信判定回路３９に相当する受信検出部３９１とを含む。タイミング信号生成部３８３によって生成されたタイミング信号は、受信検出部３９１に入力される。その後、受信検出部３９１に入力されたタイミング信号は、制御部４００に出力される。受信検出部３９１は、不受信閾値よりも長い期間、タイミング信号を受信しないとき、同期信号の通信の不具合を表す第２不具合情報を制御部４００に出力する。
【００３７】
電圧検出部３６１は、電池３５の電圧を検出する。検出された電池３５の電圧が電圧閾値よりも低いとき、電圧検出部３６１は、制御部４００に第１不具合情報を出力する。
【００３８】
制御部４００は、検出部３６０から出力されたタイミング信号、第１不具合情報又は第２不具合情報に基づいて、第１制御信号、第２制御信号又は第３制御信号を駆動部３７０に出力する。駆動部は、第１制御信号、第２制御信号又は第３制御信号に基づいて、光学フィルタ部３３の左眼フィルタ３１及び／又は右眼フィルタ３２を駆動する。
【００３９】
図４は、表示装置２のハードウェア構成を概略的に示すブロック図である。図１及び図４を用いて、表示装置２が説明される。
【００４０】
表示装置２は、復号化ＩＣ２４、映像信号処理ＩＣ２５、送信制御ＩＣ２６、ＣＰＵ２７、メモリ２８、クロック２９、表示パネル２１及び送信素子２３を備える。
【００４１】
符号化された映像信号は、表示装置２の復号化ＩＣ２４に入力される。復号化ＩＣ２４は、映像信号を復号化して映像データを所定の様式で出力する。映像の符号化として、ＭＰＥＧ（Motion Picture Experts Group）−２、ＭＰＥＧ−４やＨ２６４が例示される。
【００４２】
映像信号処理ＩＣ２５は、３次元映像の表示に関する信号処理を行う。映像信号処理ＩＣ２５は、映像信号の処理を実行し、復号化ＩＣ２４からの映像データを３次元映像として表示する。代替的に、映像信号処理ＩＣ２５は、復号化ＩＣ２４で復号された映像データから左眼フレーム画像と右眼フレーム画像とを検出してもよい。検出された左眼フレーム画像及び右眼フレーム画像は、表示パネル２１に時間的に交互に表示される。更に代替的に、復号化ＩＣ２４が出力した映像データから左眼フレーム画像と右眼フレーム画像とが自動的に生成されてもよい。映像信号処理ＩＣ２５は、生成された左眼フレーム画像と右眼フレーム画像とを表示パネル２１に交互に出力してもよい。映像信号処理ＩＣ２５は、３次元映像の表示に関する信号処理を行なった後、表示パネル２１の信号入力方式に適合した出力信号を生成する。
【００４３】
尚、映像信号処理ＩＣ２５は、上記の処理以外の処理を実行してもよい。映像信号処理ＩＣ２５は、例えば、表示パネル２１の特性に応じて、表示される映像の色彩を調整してもよい。映像信号処理ＩＣ２５は、復号化ＩＣ２４で生成された映像データのフレーム間の映像を補間し、映像のフレームレートを上げてもよい。
【００４４】
送信制御ＩＣ２６は、映像信号処理ＩＣ２５が生成した左眼フレーム画像及び右眼フレーム画像と同期する同期信号を生成する。その後、送信制御ＩＣ２６は、生成された同期信号を送信素子２３へ出力する。
【００４５】
ＣＰＵ２７は、例えば、メモリ２８に記録されたプログラム及び外部からの入力（図示せず）に従って、表示装置２の様々な要素（例えば、復号化ＩＣ２４や映像信号処理ＩＣ２５）を制御する。この結果、ＣＰＵ２７は、表示装置２全体の制御を司ることとなる。
【００４６】
メモリ２８は、ＣＰＵ２７が実行するプログラムやプログラム実行時に発生する一時データを記録する領域として利用される。メモリ２８として、揮発性のＲＡＭ（Random Access Memory）や不揮発性のＲＯＭ（Read Only
Memory）が例示される。
【００４７】
クロック２９は、ＣＰＵ２７や他の要素の動作基準となるクロック信号を供給する。
【００４８】
表示パネル２１には、映像信号処理ＩＣ２５から出力された映像信号（左眼フレーム画像及び右眼フレーム画像）が表示される。眼鏡装置３を着用した視聴者は、眼鏡装置３の立体視補助動作を通じて、表示パネル２１に表示されるフレーム画像を３次元的に知覚することとなる。
【００４９】
送信素子２３は、送信制御ＩＣ２６による制御の下、同期信号を眼鏡装置３へ出力する。上述の如く、同期信号に基づいて、眼鏡装置３はタイミング信号を生成し、生成されたタイミング信号に基づいて、光学フィルタ部３３の立体視補助動作を実行する。
【００５０】
図５は、表示装置２の機能構成を概略的に示すブロック図である。図１、図４及び図５を用いて、表示装置２が更に説明される。
【００５１】
表示装置２は、復号化部２４０、Ｌ／Ｒ信号分離部２５１、立体信号処理部２５２、表示部２１０、同期信号生成部２５３、送信制御部２６０及び送信部２３０を備える。
【００５２】
図４に関連して説明された復号化ＩＣ２４に相当する復号化部２４０には、符号化された映像信号が入力される。復号化部２４０は、入力された映像信号を復号する。
【００５３】
Ｌ／Ｒ信号分離部２５１は、復号化部２４０が復号した映像信号から左眼用及び右眼用の映像信号（左眼フレーム画像及び右眼フレーム画像）を生成若しくは分離する。
【００５４】
立体信号処理部２５２は、眼鏡装置３を通じて視認される映像を表示する表示部２１０の特性に応じて、Ｌ／Ｒ信号分離部２５１で分離された左眼用及び右眼用の映像信号を調整する。立体信号処理部２５２は、例えば、表示部２１０の表示面の大きさに応じて、左眼フレーム画像と右眼フレーム画像との間の視差量を調整する。尚、表示部２１０は、図１に例示される表示パネル２１に相当する。
【００５５】
同期信号生成部２５３は、Ｌ／Ｒ信号分離部２５１が生成した左眼フレーム画像及び右眼フレーム画像と同期又は対応した同期信号を生成する。この際、表示部２１０の特性に応じて、生成される同期信号の種類（例えば、波形）や生成タイミングが調整される。
【００５６】
Ｌ／Ｒ信号分離部２５１、立体信号処理部２５２並びに同期信号生成部２５３は、図４に関連して説明されたハードウェア構成において、映像信号処理ＩＣ２５に該当する。
【００５７】
表示部２１０は、立体信号処理部２５２によって処理された映像信号を映像として表示する。上述の如く、図４に関連して説明されたハードウェア構成において、表示部２１０は、表示パネル２１に該当する。
【００５８】
送信部２３０は、同期信号生成部２５３で生成された同期信号を、送信制御部２６０の制御下で、眼鏡装置３へ送信する。送信部２３０は、図４に関連して説明されたハードウェア構成において、送信素子２３に該当する。
【００５９】
送信制御部２６０は、送信される同期信号のデータ量や、同期信号の送信間隔を制御する。送信制御部２６０は、図４に関連して説明されたハードウェア構成において、送信制御ＩＣ２６に該当する。
【００６０】
（第１制御モード）
図６は、検出部３６０が不具合情報を出力していないときにおける同期信号に基づく光学フィルタ部３３の光量調整動作を説明する図である。図６のセクション（Ａ）は、表示部２１０に表示されるフレーム画像を示す。図６のセクション（Ｂ）は、送信部２３０から送信される同期信号を示す。図６のセクション（Ｃ）は、タイミング信号生成部３８３が出力するタイミング信号を示す。図６のセクション（Ｄ）は、左眼フィルタ３１の光量調整動作によって変動する左眼への透過光量を示す。図６のセクション（Ｅ）は、右眼フィルタ３２の光量調整動作によって変動する右眼への透過光量を示す。図３、図５及び図６を用いて、光学フィルタ部３３の光量調整動作が説明される。図６に関連して説明される光学フィルタ部３３に対する制御モードは、第１制御モードとして例示される。
【００６１】
図６のセクション（Ａ）に示される如く、表示部２１０は、左眼で視聴されるための左眼フレーム画像４１と、右眼で視聴されるための右眼フレーム画像４２とを交互に表示する。
【００６２】
図６のセクション（Ｂ）に示される如く、左眼フレーム画像４１の表示の開始に同期して或いは左眼フレーム画像４１の表示開始時刻から所定の時間遅れた時刻に、同期信号生成部２５３は第１同期信号５１を生成する。左眼フレーム画像４１の表示の終了に同期して或いは左眼フレーム画像４１の表示終了時刻から、所定の時間、先行した時刻に、同期信号生成部２５３は第２同期信号５２を生成する。右眼フレーム画像４２の表示の開始に同期して或いは右眼フレーム画像４２の表示開始時刻から所定の時間遅れた時刻に、同期信号生成部２５３は第３同期信号５３を生成する。右眼フレーム画像４２の表示の終了に同期して或いは右眼フレーム画像４２の表示終了時刻から、所定の時間、先行した時刻に、同期信号生成部２５３は第４同期信号５４を生成する。送信部２３０は、送信制御部２６０の制御下で、第１同期信号５１、第２同期信号５２、第３同期信号５３及び第４同期信号５４を送信する。第１同期信号５１、第２同期信号５２、第３同期信号５３及び第４同期信号５４は、例えば、それぞれ異なる波形を有するように生成される。
【００６３】
受信部３４０は、第１同期信号５１、第２同期信号５２、第３同期信号５３及び第４同期信号５４を受信する。解析部３８１は、第１同期信号５１、第２同期信号５２、第３同期信号５３及び第４同期信号５４それぞれの波形に基づき、第１同期信号５１、第２同期信号５２、第３同期信号５３及び第４同期信号５４それぞれを識別する。第１同期信号５１、第２同期信号５２、第３同期信号５３及び第４同期信号５４の波形や受信間隔といった同期情報は、記憶部３８２に記憶される。
【００６４】
タイミング信号生成部３８３は、記憶部３８２に記憶された同期情報に基づき、第１同期信号５１に同期して、左眼フィルタ３１が光の透過を許容するタイミングを定める第１タイミング信号６１を生成する。同様に、タイミング信号生成部３８３は、第２同期信号５２に同期して、左眼フィルタ３１が光の透過を妨げるタイミングを定める第２タイミング信号６２を生成する。更に、タイミング信号生成部３８３は、第３同期信号５３に同期して、右眼フィルタ３２が光の透過を許容するタイミングを定める第３タイミング信号６３を生成する。同様に、タイミング信号生成部３８３は、第４同期信号５４に同期して、右眼フィルタ３２が光の透過を妨げるタイミングを定める第４タイミング信号６４を生成する。第１タイミング信号６１、第２タイミング信号６２、第３タイミング信号６３及び第４タイミング信号６４は、例えば、それぞれ異なる波形を有するように生成される。
【００６５】
第１タイミング信号６１、第２タイミング信号６２、第３タイミング信号６３及び第４タイミング信号６４は、受信検出部３９１を介して、制御部４００へ出力される。制御部４００は、例えば、第１タイミング信号６１、第２タイミング信号６２、第３タイミング信号６３及び第４タイミング信号６４の波形に基づき、制御内容を識別し、第１タイミング信号６１、第２タイミング信号６２、第３タイミング信号６３及び第４タイミング信号６４それぞれに対応する制御信号を駆動部３７０へ出力する。駆動部３７０は、入力された制御信号に基づき、左眼フィルタ３１及び右眼フィルタ３２を駆動する。
【００６６】
かくして、左眼フィルタ３１は、第１同期信号５１に同期して、左眼へ透過する光量を増大させる調整動作を行い、第２同期信号５２に同期して、左眼へ透過する光量を減少させる調整動作を行う。同様に、右眼フィルタ３２は、第３同期信号５３に同期して、右眼へ透過する光量を増大させる調整動作を行い、第４同期信号５４に同期して、右眼へ透過する光量を減少させる調整動作を行う。この結果、視聴者は、表示部２１０に表示される映像を３次元的に知覚することが可能となる。
【００６７】
（第２制御モード）
図７は、検出部３６０の電圧検出部３６１が第１不具合情報を表す第１不具合信号を出力しているときの、光学フィルタ部３３の光量調整動作を説明する図である。図７のセクション（Ａ）は、表示部２１０に表示されるフレーム画像を示す。図７のセクション（Ｂ）は、送信部２３０から送信される同期信号を示す。図７のセクション（Ｃ）は、タイミング信号生成部３８３が出力するタイミング信号を示す。図７のセクション（Ｄ）は、電圧検出部３６１が出力する第１不具合信号を示す。図７のセクション（Ｅ）は、左眼フィルタ３１の光量調整動作によって変動する左眼への透過光量を示す。図７のセクション（Ｆ）は、右眼フィルタ３２の光量調整動作によって変動する右眼への透過光量を示す。図３、図５乃至図７を用いて、光学フィルタ部３３の光量調整動作が更に説明される。図７に関連して説明される光学フィルタ部３３に対する制御モードは、第２制御モードとして例示される。
【００６８】
図６のセクション（Ａ）に関連して説明されたフレーム画像の表示と同様に、表示部２１０は、左眼で視聴されるための左眼フレーム画像４１と、右眼で視聴されるための右眼フレーム画像４２とを交互に表示する。
【００６９】
図６のセクション（Ｂ）に関連して説明された同期信号の生成と同様に、左眼フレーム画像４１の表示の開始に同期して或いは左眼フレーム画像４１の表示開始時刻から所定の時間遅れた時刻に、同期信号生成部２５３は第１同期信号５１を生成する。左眼フレーム画像４１の表示の終了に同期して或いは左眼フレーム画像４１の表示終了時刻から、所定の時間、先行した時刻に、同期信号生成部２５３は第２同期信号５２を生成する。右眼フレーム画像４２の表示の開始に同期して或いは右眼フレーム画像４２の表示開始時刻から所定の時間遅れた時刻に、同期信号生成部２５３は第３同期信号５３を生成する。右眼フレーム画像４２の表示の終了に同期して或いは右眼フレーム画像４２の表示終了時刻から、所定の時間、先行した時刻に、同期信号生成部２５３は第４同期信号５４を生成する。送信部２３０は、送信制御部２６０の制御下で、第１同期信号５１、第２同期信号５２、第３同期信号５３及び第４同期信号５４を送信する。第１同期信号５１、第２同期信号５２、第３同期信号５３及び第４同期信号５４は、例えば、それぞれ異なる波形を有するように生成される。
【００７０】
受信部３４０は、第１同期信号５１、第２同期信号５２、第３同期信号５３及び第４同期信号５４を受信する。解析部３８１は、第１同期信号５１、第２同期信号５２、第３同期信号５３及び第４同期信号５４それぞれの波形に基づき、第１同期信号５１、第２同期信号５２、第３同期信号５３及び第４同期信号５４を識別する。第１同期信号５１、第２同期信号５２、第３同期信号５３及び第４同期信号５４の波形や受信間隔といった同期情報は、記憶部３８２に記憶される。
【００７１】
図６のセクション（Ｃ）に関連して説明されたタイミング信号の生成と同様に、タイミング信号生成部３８３は、記憶部３８２に記憶された同期情報に基づき、第１同期信号５１に同期して、左眼フィルタ３１が光の透過を許容するタイミングを定める第１タイミング信号６１を生成する。同様に、タイミング信号生成部３８３は、第２同期信号５２に同期して、左眼フィルタ３１が光の透過を妨げるタイミングを定める第２タイミング信号６２を生成する。更に、タイミング信号生成部３８３は、第３同期信号５３に同期して、右眼フィルタ３２が光の透過を許容するタイミングを定める第３タイミング信号６３を生成する。同様に、タイミング信号生成部３８３は、第４同期信号５４に同期して、右眼フィルタ３２が光の透過を妨げるタイミングを定める第４タイミング信号６４を生成する。第１タイミング信号６１、第２タイミング信号６２、第３タイミング信号６３及び第４タイミング信号６４は、例えば、それぞれ異なる波形を有するように生成される。
【００７２】
電圧検出部３６１が、電池３５の電圧が、電圧閾値よりも低いことを検知すると、検出部３６０は、受信検出部３９１からのタイミング信号の出力に代えて、第１不具合情報を表す第１不具合信号７１を出力する。電池３５の電圧が、電圧閾値よりも低い間、検出部３６０は、第１不具合信号７１を出力し続ける。
【００７３】
第１不具合信号７１が入力された制御部４００は、左眼フィルタ３１及び右眼フィルタ３２の光量調整を、例えば、０．５Ｈｚ以上４０Ｈｚ以下の調整周波数、より好ましくは、映像のフレームレートの半分未満の調整周波数で実行させるための制御信号を駆動部３７０に出力する。駆動部３７０は第１不具合信号７１に基づいて生成された制御信号に従って、左眼フィルタ３１及び右眼フィルタ３２を駆動する。
【００７４】
本実施形態において、左眼フィルタ３１及び右眼フィルタ３２を透過する光量が最小値から最大値に達し、再度、最小値まで戻るまでの光量調整動作は、１調整単位と定義される。１つの調整単位から次の調整単位が行われるまでの期間は、調整周期と定義される。調整周期の逆数は、調整周波数と定義される。尚、１調整周期において、左眼フィルタ３１及び右眼フィルタ３２を透過する光量が最大化されている期間及び左眼フィルタ３１及び右眼フィルタ３２を透過する光量が最小化されている期間は、略均等に割り当てられている。
【００７５】
図６に示されるタイミング信号に基づく、左眼フィルタ３１及び右眼フィルタ３２の光量調整の調整周波数は、０．５Ｈｚ以上４０Ｈｚ以下、より好ましくは、表示部２１０に表示される映像のフレームレートの半分未満である。左眼フィルタ３１及び右眼フィルタ３２の光量調整の調整周波数が映像のフレームレートの半分未満の範囲に設定されるならば、例えば、映像のフレームレートが１２０Ｈｚ（左眼フレーム画像：６０Ｈｚ  右眼フレーム画像：６０Ｈｚ）であるとき、左眼フィルタ３１及び右眼フィルタ３２それぞれの光量調整の調整周波数は、３０Ｈｚ未満である。
【００７６】
図７に示される第１不具合信号７１に基づく制御下で、左眼フィルタ３１及び右眼フィルタ３２は、例えば、０．５Ｈｚ以上４０Ｈｚ以下、より好ましくは、映像のフレームレートの半分未満の調整周波数で光量調整を実行する。左眼フィルタ３１及び右眼フィルタ３２が、このような低い範囲の調整周波数で光量調整を実行することにより、眼鏡装置３を装着した視聴者は、左眼フィルタ３１及び右眼フィルタ３２の動作を比較的容易に視覚的に把握することができ、眼鏡装置３に不具合が発生していることを察知することができる。４０Ｈｚを超える調整周波数で、左眼フィルタ３１及び右眼フィルタ３２が光量調整を行った場合には、左眼フィルタ３１及び右眼フィルタ３２の動作が速すぎ、視聴者が左眼フィルタ３１及び右眼フィルタ３２の動作を視覚的に把握することは困難となる。０．５Ｈｚ未満の調整周波数で、左眼フィルタ３１及び右眼フィルタ３２が光量調整を行った場合には、左眼フィルタ３１及び右眼フィルタ３２の動作が遅すぎ、視聴者が左眼フィルタ３１及び右眼フィルタ３２の動作を視覚的に把握することは困難となる。
【００７７】
図７に示されるように、本実施形態において、第１不具合信号７１に基づいて、左眼フィルタ３１及び右眼フィルタ３２は略同時に透過光量を増減させる。
【００７８】
図８は、人間がフリッカを知覚する周波数の範囲を表すグラフ（原島：画像情報圧縮（オーム社）  図２．９（Kelly, 1961））である。図８を用いて、第２制御モードにおける調整周波数の好適な範囲が説明される。
【００７９】
図８に示されるグラフの横軸は、周波数を示す。図８に示されるグラフの縦軸は、人間が知覚できるフリッカ（ちらつき）の閾値（図８中、「Trolands（網膜上の照度）」）を表す。
【００８０】
図８のグラフによれば、平均輝度が小さくなるにつれて、閾値のピークの位置は、低周波数帯に向けて移動する。一般的な映像システム１の環境下において、０．５Ｈｚ以上４０Ｈｚ以下の調整周波数で光学フィルタ部３３が動作するならば、人間は、表示装置２が表示する映像がちらついていると感ずる。ちらつきを知覚する調整周波数の範囲は、個人間でばらつくが、０．５Ｈｚ以上３０Ｈｚ未満の範囲であれば、比較的多くの人が、ちらつきを知覚する。尚、図８のグラフによれば、様々な平均輝度に対して、一般的な人がちらつきを感じるピーク周波数は、５Ｈｚ以上２０Ｈｚ以下の範囲であるので、好ましくは、調整周波数は、５Ｈｚ以上２０Ｈｚ以下の範囲に設定される。
【００８１】
第２制御モードにおける調整周波数は、以下に示される条件を満たすように設定されてもよい。
【００８２】
（１）映像のフレームレートより低い調整周波数であること
（２）フレーム画像の表示に非同期であること
（３）光学フィルタ部の調整動作に起因するフリッカ（ちらつき）が視聴者に知覚されること
【００８３】
図９は、検出部３６０の受信検出部３９１が第２不具合情報を表す第２不具合信号を出力しているときにおける光学フィルタ部３３の光量調整動作を説明する図である。図９のセクション（Ａ）は、表示部２１０に表示されるフレーム画像を示す。図９のセクション（Ｂ）は、送信部２３０から送信される同期信号を示す。図９のセクション（Ｃ）は、タイミング信号生成部３８３が出力するタイミング信号を示す。図９のセクション（Ｄ）は、受信検出部３９１が出力する第２不具合信号を示す。図９のセクション（Ｅ）は、左眼フィルタ３１の光量調整動作によって変動する左眼への透過光量を示す。図９のセクション（Ｆ）は、右眼フィルタ３２の光量調整動作によって変動する右眼への透過光量を示す。図３、図５乃至図９を用いて、光学フィルタ部３３の光量調整動作が更に説明される。図９に関連して説明される光学フィルタ部３３に対する制御モードは、第２制御モードとして例示される。
【００８４】
図６のセクション（Ａ）に関連して説明されたフレーム画像の表示と同様に、表示部２１０は、左眼で視聴されるための左眼フレーム画像４１と、右眼で視聴されるための右眼フレーム画像４２とを交互に表示する。
【００８５】
図６のセクション（Ｂ）関連して説明された同期信号の生成と同様に、左眼フレーム画像４１の表示の開始に同期して或いは左眼フレーム画像４１の表示開始時刻から所定の時間遅れた時刻に、同期信号生成部２５３は第１同期信号５１を生成する。左眼フレーム画像４１の表示の終了に同期して或いは左眼フレーム画像４１の表示終了時刻から、所定の時間、先行した時刻に、同期信号生成部２５３は第２同期信号５２を生成する。右眼フレーム画像４２の表示の開始に同期して或いは右眼フレーム画像４２の表示開始時刻から所定の時間遅れた時刻に、同期信号生成部２５３は第３同期信号５３を生成する。右眼フレーム画像４２の表示の終了に同期して或いは右眼フレーム画像４２の表示終了時刻から、所定の時間、先行した時刻に、同期信号生成部２５３は第４同期信号５４を生成する。送信部２３０は、送信制御部２６０の制御下で、第１同期信号５１、第２同期信号５２、第３同期信号５３及び第４同期信号５４を送信する。第１同期信号５１、第２同期信号５２、第３同期信号５３及び第４同期信号５４は、例えば、それぞれ異なる波形を有するように生成される。
【００８６】
受信部３４０は、第１同期信号５１、第２同期信号５２、第３同期信号５３及び第４同期信号５４を受信する。解析部３８１は、第１同期信号５１、第２同期信号５２、第３同期信号５３及び第４同期信号５４それぞれの波形に基づき、第１同期信号５１、第２同期信号５２、第３同期信号５３及び第４同期信号５４を識別する。第１同期信号５１、第２同期信号５２、第３同期信号５３及び第４同期信号５４の波形や受信間隔といった同期情報は、記憶部３８２に記憶される。
【００８７】
図６のセクション（Ｃ）に関連して説明されたタイミング信号の生成と同様に、タイミング信号生成部３８３は、記憶部３８２に記憶された同期情報に基づき、第１同期信号５１に同期して、左眼フィルタ３１が光の透過を許容するタイミングを定める第１タイミング信号６１を生成する。同様に、タイミング信号生成部３８３は、第２同期信号５２に同期して、左眼フィルタ３１が光の透過を妨げるタイミングを定める第２タイミング信号６２を生成する。更に、タイミング信号生成部３８３は、第３同期信号５３に同期して、右眼フィルタ３２が光の透過を許容するタイミングを定める第３タイミング信号６３を生成する。同様に、タイミング信号生成部３８３は、第４同期信号５４に同期して、右眼フィルタ３２が光の透過を妨げるタイミングを定める第４タイミング信号６４を生成する。第１タイミング信号６１、第２タイミング信号６２、第３タイミング信号６３及び第４タイミング信号６４は、例えば、それぞれ異なる波形を有するように生成される。
【００８８】
図９のセクション（Ｃ）に示される如く、受信部３４０が第１同期信号５１、第２同期信号５２、第３同期信号５３及び第４同期信号５４を受信しなくなった後も、所定期間、タイミング信号生成部３８３は、以前に受信された第１同期信号５１、第２同期信号５２、第３同期信号５３及び第４同期信号５４に基づいて取得された同期情報を記憶部３８２から読み出し、疑似タイミング信号６１ａ，６２ａ，６３ａ，６４ａを生成してもよい。疑似タイミング信号６１ａ，６２ａ，６３ａ，６４ａの信号波形は、リアルタイムで取得された第１同期信号５１、第２同期信号５２、第３同期信号５３及び第４同期信号５４に基づいて生成されたタイミング信号６１，６２，６３，６４と異なる波形を有してもよい。
【００８９】
疑似タイミング信号６１ａ，６２ａ，６３ａ，６４ａが入力された受信検出部３９１は、疑似タイミング信号６１ａ，６２ａ，６３ａ，６４ａの信号波形に基づき、疑似タイミング信号６１ａ，６２ａ，６３ａ，６４ａが入力されていることを識別することができる。疑似タイミング信号６１ａ，６２ａ，６３ａ，６４ａの入力を受けている期間の計測を開始する。この計測された期間は、第１同期信号５１、第２同期信号５２、第３同期信号５３及び第４同期信号５４の受信がない不受信期間に相当する。疑似タイミング信号６１ａ，６２ａ，６３ａ，６４ａの入力を受けている期間に対して定められた閾値の期間（即ち、不受信閾値）の間、受信検出部３９１は、疑似タイミング信号６１ａ，６２ａ，６３ａ，６４ａの波形を通常のタイミング信号６１，６２，６３，６４の波形に戻し、制御部４００へ左眼フィルタ３１及び右眼フィルタ３２の光量調整動作のタイミングを通知してもよい。制御部４００は、受信検出部３９１からの入力に応じて、駆動部３７０を制御する。
【００９０】
疑似タイミング信号６１ａ，６２ａ，６３ａ，６４ａの入力期間が不受信閾値を超えると、受信検出部３９１は、光量調整動作のタイミング情報に代えて、第２不具合情報を表す第２不具合信号７２を制御部４００に出力する。受信検出部３９１は、第１同期信号５１、第２同期信号５２、第３同期信号５３及び第４同期信号５４が受信されない間、第２不具合信号７２を出力し続ける。尚、第２不具合信号７２の波形は、第１不具合信号７１の波形とは異なる。
【００９１】
第２不具合信号７２が入力された制御部４００は、左眼フィルタ３１及び右眼フィルタ３２の光量調整を、映像のフレームレートの半分未満の調整周波数で実行させるための制御信号を駆動部３７０に出力する。駆動部３７０は第２不具合信号７２に基づいて生成された制御信号に従って、左眼フィルタ３１及び右眼フィルタ３２を駆動する。
【００９２】
図９に示される第２不具合信号７２に基づく制御下で、左眼フィルタ３１及び右眼フィルタ３２は、例えば、０．５Ｈｚ以上４０Ｈｚ以下の調整周波数で光量調整を実行する。左眼フィルタ３１及び右眼フィルタ３２が、このような低い範囲の調整周波数で光量調整を実行することにより、眼鏡装置３を装着した視聴者は、左眼フィルタ３１及び右眼フィルタ３２の動作を比較的容易に視覚的に把握することができ、眼鏡装置３に不具合が発生していることを察知することができる。４０Ｈｚを超える調整周波数で、左眼フィルタ３１及び右眼フィルタ３２が光量調整を行った場合には、左眼フィルタ３１及び右眼フィルタ３２の動作が速すぎ、視聴者が左眼フィルタ３１及び右眼フィルタ３２の動作を視覚的に把握することは困難となる。０．５Ｈｚ未満の調整周波数で、左眼フィルタ３１及び右眼フィルタ３２が光量調整を行った場合には、左眼フィルタ３１及び右眼フィルタ３２の動作が遅すぎ、視聴者が左眼フィルタ３１及び右眼フィルタ３２の動作を視覚的に把握することは困難となる。尚、調整周波数は、図８に関連して説明された条件に従って、適宜定められてもよい。
【００９３】
図９に示されるように、本実施形態において、第２不具合信号７２に基づいて、左眼フィルタ３１及び右眼フィルタ３２は交互に透過光量を増減させる。このように、第１不具合信号７１に基づく制御下における左眼フィルタ３１及び右眼フィルタ３２と光量調整動作と、第２不具合信号７２に基づく制御下における左眼フィルタ３１及び右眼フィルタ３２と光量調整動作とを互いに異ならせることにより、視聴者は、不具合が電池残量の低下に起因するものであるのか或いは同期信号の通信に起因するものであるのかを特定することが可能となる。代替的に、第２不具合信号７２に基づく制御下における左眼フィルタ３１及び右眼フィルタ３２の光量調整動作を図７に関連して説明された光量調整動作とする一方で、第１不具合信号７１に基づく制御下における左眼フィルタ３１及び右眼フィルタ３２の光量調整動作を図９に関連して説明された光量調整動作としてもよい。更に代替的に、第２不具合信号７２に基づく制御下における左眼フィルタ３１及び右眼フィルタ３２の光量調整動作と第１不具合信号７１に基づく制御下における左眼フィルタ３１及び右眼フィルタ３２の光量調整動作とが、視聴者に視覚的に互いに異なるものであることを識別させることができる他の光量調整動作であってもよい。
【００９４】
（調整周波数）
図１０は、閃光点滅周波数と光突発性反応との関係とを表すヒストグラム（G.F.A. Harding, P.M. Jeavors, Photosensitive Epilepsy p.87）である。図１０は、１７０人の被験者に対する閃光点滅刺激による脳波検査の結果を示し、図１０に示されるヒストグラムの縦軸は、異なった周波数での点滅に対して光突発反応を引き起こした被験者の割合を示す。図７、図９及び図１０を用いて、左眼フィルタ３１及び右眼フィルタ３２の調整周波数が説明される。
【００９５】
図７及び図９に関連して説明された如く、第１不具合信号７１又は第２不具合信号７２に基づき、左眼フィルタ３１及び右眼フィルタ３２は、０．５Ｈｚ以上４０Ｈｚ以下の調整周波数で光量調整を行う。図１０に示される閃光点滅周波数と光突発性反応との関係を考慮すると、第１不具合信号７１又は第２不具合信号７２が生成されたとき、左眼フィルタ３１及び右眼フィルタ３２は、０．５Ｈｚ以上５Ｈｚ未満の調整周波数で光量調整動作を行うことが好ましいと考えられる。
【００９６】
（眼鏡装置から伝達される他の情報）
上述された実施形態において、左眼フィルタ３１及び右眼フィルタ３２が０．５Ｈｚ以上４０Ｈｚ以下の調整周波数で光量調整を行うことによって、視聴者に眼鏡装置３の不具合を通知したが、上述の低周波数帯での左眼フィルタ３１及び右眼フィルタ３２の光量調整動作によって、眼鏡装置３の不具合以外の情報を視聴者に伝達することも可能である。
【００９７】
例えば、眼鏡装置３の信号生成部３８０及び／又は検出部３６０は、同期信号を受信している期間を測定してもよい。この測定により、視聴者が３次元映像を視聴している時間（視聴時間）の情報が取得される。視聴時間に対して定められた閾値（視聴時間閾値）（例えば、２時間或いは３時間）を超えて３次元映像を視聴しているとき、電圧検出部３６１又は受信検出部３９１は、制御部４００に警告信号を出力してもよい。制御部４００は、警告信号に基づき、０．５Ｈｚ以上４０Ｈｚ以下の調整周波数で光量調整を実行させるための第４制御信号を駆動部３７０に出力してもよい。第４制御信号に基づいて駆動部３７０が左眼フィルタ３１及び右眼フィルタ３２に０．５Ｈｚ以上４０Ｈｚ以下の調整周波数で光量調整を行わせることにより、視聴者に長時間の３次元映像の視聴が続いていることを通知することが可能となる。
【００９８】
この通知により、視聴者に３次元映像の視聴の一時中断を促すことが可能となり、過度の眼精疲労を視聴者に与えることが抑制されることとなる。
【００９９】
（間欠式の第２制御モード）
図１１は、間欠式に実行される第２制御モードを示す。図７、図９及び図１１を用いて、間欠式に実行される第２制御モードが説明される。
【０１００】
上述の如く、第２制御モードでの光学フィルタ部３３の動作は、視聴者にフリッカを知覚させる。フリッカは、しばしば、視聴者を不快にさせる。図１１に示される如く、比較的短期間（例えば、２秒）の第２制御モードが間欠式に実行されると、視聴者は連続的にフリッカを知覚しないので、視聴者の不快感が低減される。先行する第２制御モードと、後続の第２制御モードの間において、光学フィルタ部３３は、例えば、左眼フィルタ３１及び右眼フィルタ３２をともに開状態或いは閉状態にしてもよい。第２制御モードが行われるインターバルは、例えば、２秒に設定される。
【０１０１】
第２制御モードが間欠式に且つ一定の周期で実行されると、視聴者は、眼鏡装置３が制御下でフリッカを生じさせていることを知覚する。したがって、視聴者は、フリッカが眼鏡装置３の故障に起因して生じているのではなく、眼鏡装置３が情報を視聴者に伝達していると認識しやすくなる。
【０１０２】
上述された実施形態は、以下の構成を主に備える。
【０１０３】
上述の実施形態の眼鏡装置は、３次元的に知覚されるための映像の視聴を補助するための眼鏡装置であって、左眼へ透過する光量を調整する左眼フィルタと、右眼へ透過する光量を調整する右眼フィルタと、を含む光学フィルタ部と、該光学フィルタ部の前記光量の調整動作を制御する制御部と、を備え、該制御部は、前記光学フィルタ部に対する制御モードを、前記映像を構成するフレーム画像の表示に同期させるように前記光学フィルタ部を制御する第１制御モードと、前記映像のフレームレートよりも遅く、且つ、前記フレーム画像の表示に非同期の前記光学フィルタ部の前記調整動作を視聴者に知覚させる第２制御モードとの間で切り替えることを特徴とする。
【０１０４】
上記構成によれば、視聴者は、眼鏡装置を用いて、映像を３次元的に知覚する。眼鏡装置の光学フィルタ部は、左眼へ透過する光量を調整する左眼フィルタと、右眼へ透過する光量を調整する右眼フィルタとを含む。制御部は、光学フィルタ部による光量の調整動作を制御する。制御部は、光学フィルタ部に対する制御モードを、第１制御モードと第２制御モードとの間で切り替える。第１制御モード下で、光学フィルタ部の調整動作は、映像を構成するフレーム画像の表示に同期する。第２制御モード下で、光学フィルタ部の調整動作は、映像のフレームレートよりも遅く、且つ、フレーム画像の表示に非同期であるので、視聴者は、眼鏡装置が第２制御モード下で動作していることを知覚することができる。かくして、視聴者は、眼鏡装置から情報を受け取ることができる。
【０１０５】
上記構成において、前記フレーム画像の表示に同期した同期信号を受信する受信部を更に備え、前記第１制御モードで前記光学フィルタ部を制御する前記制御部は、前記同期信号に基づき、前記光学フィルタ部に前記調整動作を実行させ、前記第２制御モードで前記光学フィルタ部を制御する前記制御部は、前記同期信号に無関係に前記光学フィルタ部に前記調整動作を実行させることが好ましい。
【０１０６】
上記構成によれば、眼鏡装置は、フレーム画像の表示に同期した同期信号を受信する受信部を更に備える。第１制御モードで光学フィルタ部を制御する制御部は、同期信号に基づき、光学フィルタ部に調整動作を実行させる。第２制御モードで光学フィルタ部を制御する制御部は、同期信号に無関係に光学フィルタ部に調整動作を実行させる。視聴者は、眼鏡装置が第２制御モード下で動作していることを知覚することができるので、視聴者は、眼鏡装置から情報を受け取ることができる。
【０１０７】
上記構成において、前記第２制御モードで前記光学フィルタ部を制御する前記制御部は、前記映像のフレームレートの半分以下の所定の調整周波数で、前記左眼フィルタ及び前記右眼フィルタが前記調整動作を実行するように、前記光学フィルタ部を制御することが好ましい。
【０１０８】
上記構成によれば、映像のフレームレートの半分未満の所定の調整周波数で、左眼フィルタ及び右眼フィルタが調整動作を実行するように、光学フィルタ部を制御するので、視聴者は、眼鏡装置から情報を受け取ることができる。
【０１０９】
上記構成において、前記第１制御モード下で動作する前記光学フィルタ部の前記光量の調整動作と前記フレーム画像の表示との間の同期を妨げる不具合因子を検出するとともに検出された前記不具合因子に関する不具合情報を出力する検出部を更に備え、該検出部が前記不具合情報を出力したとき、前記制御部は、前記制御モードを、前記第１制御モードから前記第２制御モードに切り替えることが好ましい。
【０１１０】
上記構成によれば、眼鏡装置の検出部は、第１制御モード下で動作する光学フィルタ部の光量の調整動作とフレーム画像の表示との間の同期を妨げる不具合因子を検出するとともに検出された不具合因子に関する不具合情報を出力する。検出部が不具合情報を出力したとき、制御部は、制御モードを、第１制御モードから第２制御モードに切り替えることができるので、視聴者は、眼鏡装置から不具合情報を受け取ることができる。
【０１１１】
上記構成において、前記眼鏡装置の電源として用いられる電池を更に備え、前記検出部は、前記電池の電圧に対して定められた電圧閾値よりも前記電池の電圧が低いとき、前記不具合情報を出力することが好ましい。
【０１１２】
上記構成によれば、電池の電圧が電圧閾値よりも低下したとき、検出部は不具合情報を出力する。制御部は、この不具合情報に基づき、フレーム画像の表示周波数より遅い調整周波数で、左眼フィルタ及び右眼フィルタが調整動作を実行するように、光学フィルタ部を制御する。したがって、眼鏡装置を装着した視聴者は、映像のフレームレートの半分以下の調整周波数での左眼フィルタ及び右眼フィルタの調整動作によって、眼鏡装置の電池の電圧が低下していることを視覚的に察知することができる。
【０１１３】
上記構成において、前記検出部は、前記同期信号を受信しない不受信期間に対して定められた不受信閾値よりも長い期間、前記同期信号を前記受信部が受信しないとき、前記不具合情報を出力することが好ましい。
【０１１４】
上記構成によれば、不受信閾値よりも長い期間、眼鏡装置が同期信号を受信しないとき、不具合情報を出力する。制御部は、この不具合情報に基づき、フレーム画像の表示周波数より遅い調整周波数で、左眼フィルタ及び右眼フィルタが調整動作を実行するように、光学フィルタ部を制御する。したがって、眼鏡装置を装着した視聴者は、映像のフレームレートの半分以下の調整周波数での左眼フィルタ及び右眼フィルタの調整動作によって、眼鏡装置が同期信号を受信していないことを視覚的に察知することができる。
【０１１５】
上記構成において、前記不具合情報は、前記眼鏡装置の電源として用いられる電池の電圧が、該電池の電圧に対して定められた電圧閾値よりも低いことを表す第１不具合情報と、前記不受信期間に対して定められた不受信閾値よりも長い期間、前記同期信号が受信されていないことを表す第２不具合情報と、を含み、前記第１不具合情報に基づく前記左眼フィルタ及び前記右眼フィルタの前記調整動作が、前記第２不具合情報に基づく前記左眼フィルタ及び右眼フィルタの前記調整動作と異なるように、前記制御部は前記光学フィルタ部を制御することが好ましい。
【０１１６】
上記構成によれば、電池の電圧が電圧閾値よりも低いことを表す第１不具合情報に基づく左眼フィルタ及び右眼フィルタの調整動作と、同期信号を受信しない不受信期間が不受信閾値よりも長いことを表す第２不具合情報に基づく左眼フィルタ及び右眼フィルタの調整動作とが互いに異なるので、視聴者は、電池の電圧が低いことに起因する不具合か、同期信号が受信されていないことに起因する不具合かを判断することができる。
【０１１７】
上記構成において、前記調整周波数は、０．５Ｈｚ以上４０Ｈｚ以下であることが好ましい。
【０１１８】
上記構成によれば、左眼フィルタ及び右眼フィルタの調整動作が０．５Ｈｚ以上４０Ｈｚ以下の周波数帯で実行されるので、視聴者は、左眼フィルタ及び右眼フィルタの動作を視覚的に捕捉することができる。かくして、眼鏡装置の不具合が好適に通知される。
【０１１９】
上記構成において、前記調整周波数は、５Ｈｚ以上２０Ｈｚ以下であることが好ましい。
【０１２０】
上記構成によれば、視聴者がフリッカを最も知覚しやすい５Ｈｚ以上２０Ｈｚ以下の範囲で、調整動作が実行されるので、視聴者は、左眼フィルタ及び右眼フィルタの動作を視覚的に捕捉することがでる。かくして、眼鏡装置の不具合が好適に通知される。
【０１２１】
上記構成において、前記調整周波数は、０．５Ｈｚ以上５Ｈｚ以下であることが好ましい。
【０１２２】
上記構成によれば、左眼フィルタ及び右眼フィルタの調整動作が０．５Ｈｚ以上５Ｈｚ以下の周波数帯で実行されるので、光過敏性発作のリスクが十分に低減された周波数帯で左眼フィルタ及び右眼フィルタが調整動作を行うこととなる。
【０１２３】
上記構成において、前記第２制御モードは、間欠式に実行されることが好ましい。
【０１２４】
上記構成によれば、第２制御モードは、間欠式に実行されるので、連続的に第２制御モード下で光学フィルタ部が動作するときよりも、視聴者に与える不快感が低減される。また、光学フィルタ部が、非同期動作を間欠式に行うので、視聴者は眼鏡装置の非同期動作を知覚しやすくなる。かくして、視聴者は、眼鏡装置から情報を受け取ることができる。
【０１２５】
上述の実施形態の映像システムは、３次元的に知覚されるための映像を表示する表示装置と、該映像の視聴を補助するための眼鏡装置と、を備える映像システムであって、前記表示装置は、前記映像のフレーム画像の表示に同期する同期信号を送信する送信部を備え、前記眼鏡装置は、左眼へ透過する光量を調整する左眼フィルタと、右眼へ透過する光量を調整する右眼フィルタと、を含む光学フィルタ部と、該光学フィルタ部の前記光量の調整動作を制御する制御部と、を備え、該制御部は、前記光学フィルタ部に対する制御モードを、前記映像を構成するフレーム画像の表示に同期させるように前記光学フィルタ部を制御する第１制御モードと、前記映像のフレームレートよりも遅く、且つ、前記フレーム画像の表示に非同期の前記光学フィルタ部の前記調整動作を視聴者に知覚させる第２制御モードとの間で切り替えることを特徴とする。
【０１２６】
上記構成によれば、視聴者は、眼鏡装置を用いて、映像を３次元的に知覚する。眼鏡装置の光学フィルタ部は、左眼へ透過する光量を調整する左眼フィルタと、右眼へ透過する光量を調整する右眼フィルタとを含む。制御部は、光学フィルタ部による光量の調整動作を制御する。制御部は、光学フィルタ部に対する制御モードを、第１制御モードと第２制御モードとの間で切り替える。第１制御モード下で、光学フィルタ部の調整動作は、映像を構成するフレーム画像の表示に同期する。第２制御モード下で、光学フィルタ部の調整動作は、映像のフレームレートよりも遅く、且つ、フレーム画像の表示に非同期であるので、視聴者は、眼鏡装置が第２制御モード下で動作していることを知覚することができる。かくして、視聴者は、眼鏡装置から情報を受け取ることができる。
【産業上の利用可能性】
【０１２７】
本発明は、３次元映像を視聴するための技術に好適に利用可能である。
【図１】
0005400901.tif 000002
【図２】
0005400901.tif 000003
【図３】
0005400901.tif 000004
【図４】
0005400901.tif 000005
【図５】
0005400901.tif 000006
【図６】
0005400901.tif 000007
【図７】
0005400901.tif 000008
【図８】
0005400901.tif 000009
【図９】
0005400901.tif 000010
【図１０】
0005400901.tif 000011
【図１１】
0005400901.tif 000012